(57)【要約】【課題】ふらつきの少ない状態で、かつ概要を容易に把握し得る状態で測定値を表示部に表示させる。【解決手段】測定対象体Ｘについての電気的パラメータを測定する測定部２と、測定部２の測定結果に基づく測定値を表示部４に数値で表示させる制御部６とを備えた測定装置１であって、測定部２による測定範囲を分割して規定した複数の分割測定範囲を示す範囲情報と、各分割測定範囲内で規定した１つの値を示す数値情報とを対応させて記憶する記憶部５を備え、制御部６は、複数の分割測定範囲のうちの測定結果を含む１つの分割測定範囲に対応する数値情報を特定し、特定した数値情報を測定値として表示部４に表示させる簡易測定処理を実行する。【選択図】図１
2011145203.tif 000002
【特許請求の範囲】
【請求項１】
測定対象体についての電気的パラメータを測定する測定部と、当該測定部の測定結果に基づく測定値を表示部に数値で表示させる制御部とを備えた測定装置であって、
前記測定部による測定範囲を分割して規定した複数の分割測定範囲を示す範囲情報と、当該各分割測定範囲内で規定した１つの値を示す数値情報とを対応させて記憶する記憶部を備え、
前記制御部は、前記複数の分割測定範囲のうちの前記測定結果を含む１つの分割測定範囲に対応する前記数値情報を特定し、当該特定した数値情報を前記測定値として前記表示部に表示させる第１の測定処理を実行する測定装置。
【請求項２】
前記測定範囲は、前記電気的パラメータが絶縁抵抗のときにはＪＩＳＣ１３０２：２００２で規定された目盛の区分に基づいて前記複数の分割測定範囲に分割され、前記電気的パラメータが電流値または電圧値のときにはＪＩＳＣ１１０２−１：２００７で規定された目盛の区分に基づいて前記複数の分割測定範囲に分割され、
前記数値情報は、当該各分割測定範囲の上限値または下限値に規定されている請求項１記載の測定装置。
【請求項３】
前記測定部は、前記第１の測定処理、および予め規定された分解能で前記測定値を前記表示部に表示させる第２の測定処理のうちから選択された一方の測定処理を実行する請求項１または２記載の測定装置。
【請求項４】
前記測定部は、前記第１の測定処理および前記第２の測定処理のうちの現在実行している測定処理を示す情報を前記表示部に表示させる請求項１から３のいずれかに記載の測定装置。
【請求項５】
測定対象体についての電気的パラメータを測定し、当該測定による測定結果に基づく測定値を表示部に数値で表示させる測定方法であって、
前記測定における測定範囲を分割して規定した複数の分割測定範囲を示す範囲情報と、当該各分割測定範囲内で規定された１つの値を示す数値情報とが対応して記憶部に記憶されている状態において、
前記複数の分割測定範囲のうちの前記測定結果を含む１つの分割測定範囲に対応する前記数値情報を特定し、
当該特定した数値情報を前記測定値として前記表示部に表示させる測定方法。
【発明の詳細な説明】
【技術分野】
【０００１】
本発明は、測定結果に基づく測定値を表示部に数値で表示させる測定装置に関するものである。
【背景技術】
【０００２】
この種の測定装置として、測定値をデジタル表示するデジタル絶縁抵抗計（以下、単に「抵抗計」ともいう）が特許第２９２９７６０号公報に開示されている。この抵抗計は、測定値を数値（４桁のセグメント表示）で表示するデジタル表示部と、測定値をバーグラフで表示するバーグラフ表示部とが表示部内に設けられている。この場合、この種の抵抗計では、抵抗値の測定（測定値の表示）を開始してから、測定値における小数点以下の下位の表示値を正確に表示することができるようになるまでにある程度の時間を要する。このため、測定開始直後においては、測定値の下位の表示値がふらついて（測定値の下位の表示値が小刻みに変動して）測定値の読み取り（把握）が困難となっている。
【０００３】
一方、この抵抗計では、デジタル表示部に対する測定値の通常表示に加え、一例として、デジタル表示部に表示させている測定値の１／１０程度の精度でバーグラフ表示部に測定値を表示させる構成を採用している。具体的には、この抵抗計では、デジタル表示部に小数点以下の下位側の表示値まで測定値を詳細に表示させると共に、バーグラフ表示部に小数点以下の上位側の値に相当するバーによって測定値の概要を表示させる構成が採用されている。これにより、この抵抗計では、測定開始直後においてデジタル表示部に表示させた測定値における小数点以下の下位側の表示値がふらついている状態においても、バーグラフ表示部を参照することで、測定値の概要を把握すること可能となっている。
【先行技術文献】
【特許文献】
【０００４】
【特許文献１】特許第２９２９７６０号公報（第１−４頁、第２−４図）
【発明の概要】
【発明が解決しようとする課題】
【０００５】
ところが、従来の抵抗計には、以下の問題点が存在する。すなわち、従来の抵抗計では、測定値の概要を把握可能とするためのバーグラフ表示部と、詳細な測定値を把握可能とするためのデジタル表示部とが表示部内に別個に設けられている。したがって、バーグラフ表示部およびデジタル表示部の２つを表示するための広い表示領域を有する大きな表示部が必要となるため、従来の抵抗計には、装置本体が大形化しているという問題点がある。また、従来の抵抗計では、バーグラフ表示によって測定値の概要を短時間で把握させようとしている。しかしながら、実際には、極く小さなバーの点灯状態によって測定値を表示するバーグラフ表示の読み取りが困難であるため、測定値の概要を瞬間的に把握するのが困難となっているという問題点もある。
【０００６】
本発明は、かかる問題点に鑑みてなされたものであり、ふらつきの少ない状態で、かつ概要を容易に把握し得る状態で測定値を表示部に表示させ得る測定装置および測定方法を提供することを主目的とする。
【課題を解決するための手段】
【０００７】
上記目的を達成すべく請求項１記載の測定装置は、測定対象体についての電気的パラメータを測定する測定部と、当該測定部の測定結果に基づく測定値を表示部に数値で表示させる制御部とを備えた測定装置であって、前記測定部による測定範囲を分割して規定した複数の分割測定範囲を示す範囲情報と、当該各分割測定範囲内で規定した１つの値を示す数値情報とを対応させて記憶する記憶部を備え、前記制御部は、前記複数の分割測定範囲のうちの前記測定結果を含む１つの分割測定範囲に対応する前記数値情報を特定し、当該特定した数値情報を前記測定値として前記表示部に表示させる第１の測定処理を実行する。
【０００８】
また、請求項２記載の測定装置は、請求項１記載の測定装置において、前記測定範囲は、前記電気的パラメータが絶縁抵抗のときにはＪＩＳＣ１３０２：２００２で規定された目盛の区分に基づいて前記複数の分割測定範囲に分割され、前記電気的パラメータが電流値または電圧値のときにはＪＩＳＣ１１０２−１：２００７で規定された目盛の区分に基づいて前記複数の分割測定範囲に分割され、前記数値情報は、当該各分割測定範囲の上限値または下限値に規定されている。
【０００９】
また、請求項３記載の測定装置は、請求項１または２記載の測定装置において、前記測定部は、前記第１の測定処理、および予め規定された分解能で前記測定値を前記表示部に表示させる第２の測定処理のうちから選択された一方の測定処理を実行する。
【００１０】
また、請求項４記載の測定装置は、請求項１から３のいずれかに記載の測定装置において、前記測定部は、前記第１の測定処理および前記第２の測定処理のうちの現在実行している測定処理を示す情報を前記表示部に表示させる。
【００１１】
また、請求項５記載の測定方法は、測定対象体についての電気的パラメータを測定し、当該測定による測定結果に基づく測定値を表示部に数値で表示させる測定方法であって、前記測定における測定範囲を分割して規定した複数の分割測定範囲を示す範囲情報と、当該各分割測定範囲内で規定された１つの値を示す数値情報とが対応して記憶部に記憶されている状態において、前記複数の分割測定範囲のうちの前記測定結果を含む１つの分割測定範囲に対応する前記数値情報を特定し、当該特定した数値情報を前記測定値として前記表示部に表示させる。
【発明の効果】
【００１２】
請求項１記載の測定装置および請求項５記載の測定方法によれば、表示部に表示される電気的パラメータの測定値を示す数値は、記憶部に予め記憶されている数値情報（分割測定範囲毎に１つだけ規定された値）のいずれかとなるため、測定部で測定された電気的パラメータの測定結果がふらついたとしても、表示部に表示される電気的パラメータの測定値を示す数値のふらつきを抑えたり、低減したりすることができる結果、表示部に表示される測定値を示す数値に基づいて、現時点での電気的パラメータの測定値の概要（大まかな電気的パラメータの測定値）を確実かつ容易に把握することができる。
【００１３】
また、請求項２記載の測定装置によれば、各電気的パラメータの測定範囲について、ＪＩＳで規定された目盛の区分に基づいて分割して分割測定範囲を規定し、かつ各分割測定範囲の上限値または下限値を各分割測定範囲に対応する数値情報として規定したことにより、表示部に表示される電気的パラメータの測定値を直動式計測器の目盛の数値のみとすることができるため、電気的パラメータの測定値を数値で表示させるデジタル式測定装置でありながら、電流値、電圧値および抵抗値などの電気的パラメータの測定値の概要を直動式計測器に表示された目盛の数値単位で把握することができる結果、指針によるアナログ式の直動式計測器と同等の使い勝手を実現することができる。
【００１４】
また、請求項３記載の測定装置によれば、上記したような表示部に表示される電気的パラメータの測定値のふらつきを抑えるなどして、現時点での電気的パラメータ値の概要を確実かつ容易に把握することができるという効果だけでなく、第２の測定処理を選択することにより、測定部で測定された電気的パラメータの測定値そのものを表示部に表示させることができるため、予め規定された分解能で電気的パラメータの測定値を測定することもできる。
【００１５】
また、請求項４記載の測定装置によれば、制御部が現在実行している測定処理を示す情報が表示部に表示されるため、表示部に表示されている数値情報が、どの測定処理によって測定されたものなのかを確実に把握することができる。
【図面の簡単な説明】
【００１６】
【図１】測定装置１のブロック図である。
【図２】ＪＩＳＣ１１０２−２の７．３で規定されている測定範囲の上限値として６０Ａを選択したときの目盛の区分の例を示す説明図である。
【図３】図２の目盛の区分に基づいて測定範囲を分割して分割測定範囲を規定して作成した電流値についての簡易測定用数値情報テーブルである。
【図４】ＪＩＳＣ１１０２−２の７．３で規定されている測定範囲の上限値として１５０Ｖを選択したときの目盛の区分の例を示す説明図である。
【図５】図４の目盛の区分に基づいて測定範囲を分割して分割測定範囲を規定して作成した電圧値についての簡易測定用数値情報テーブルである。
【図６】ＪＩＳＣ１１０２−２の７．３で規定されている測定範囲の上限値として１００ＭΩを選択したときの目盛の区分の例を示す説明図である。
【図７】図６の目盛の区分に基づいて測定範囲を分割して分割測定範囲を規定して作成した抵抗値についての簡易測定用数値情報テーブルである。
【発明を実施するための形態】
【００１７】
以下、測定装置および測定方法の実施の形態について、添付図面を参照して説明する。
【００１８】
最初に、測定装置１の構成について、添付図面を参照して説明する。
【００１９】
図１に示す測定装置１は、デジタルマルチメータであって、測定部２、操作部３、表示部４、記憶部５および制御部６を備えて測定対象体Ｘについての電気的パラメータとしての電圧、電流および抵抗についての値（電気的パラメータ値（電圧値、電流値および抵抗値））を測定してその測定結果に基づく測定値を数値で表示することができるように構成されている。
【００２０】
測定部２は、電圧生成回路、電流検出回路、電圧検出回路、Ａ／Ｄ変換回路および演算回路等（いずれも図示せず）を備え、測定対象体Ｘについての電気的パラメータを予め規定された周期で繰り返し測定して、その電気的パラメータ値を測定データＤ１として出力する。この場合、測定部２は、制御部６によって制御されて、電圧、電流および抵抗（本例では抵抗の一例として絶縁抵抗）のうちから指定された１つの電気的パラメータについて、指定された測定範囲で測定する。
【００２１】
具体的には、測定部２は、測定対象体Ｘに発生する電圧の電圧値を測定する場合には、電圧検出回路が、指定された測定範囲（つまり測定レンジ）で測定対象体Ｘの両端間に発生する電圧信号を検出し、Ａ／Ｄ変換回路が、この電圧信号をこの信号の振幅を示すデジタルデータに変換し、演算回路が、このデジタルデータと、指定された測定範囲の情報（具体的には測定範囲の上限値、つまり測定レンジを示す数値情報（例えば１００Ｖレンジであれば、数値情報である数値「１００」））とに基づいて電圧値を算出して、測定データＤ１として出力する。また、測定部２は、測定対象体Ｘに流れる電流の電流値を測定する場合には、電流検出回路が、指定された測定範囲（つまり測定レンジ）で測定対象体Ｘに流れる電流信号を検出し、Ａ／Ｄ変換回路が、この電流信号をこの信号の振幅を示すデジタルデータに変換し、演算回路が、このデジタルデータと、指定された測定範囲の情報（具体的には測定範囲の上限値、つまり測定レンジを示す数値情報（例えば１Ａレンジであれば、数値情報である数値「１」）とに基づいて電流値を算出して、測定データＤ１として出力する。
【００２２】
また、測定部２は、測定対象体Ｘの抵抗値を測定する場合には、電圧生成回路が、測定用電圧を生成すると共に測定対象体Ｘに印加し、この状態において、電圧検出回路が、指定された測定範囲（指定された抵抗値の測定範囲に対応する電圧値の測定範囲）で測定対象体Ｘの両端間に発生する電圧信号を検出し、かつ電流検出回路が、指定された測定範囲（指定された抵抗値の測定範囲に対応する電流値の測定範囲）で測定対象体Ｘに流れる電流信号を検出する。次いで、Ａ／Ｄ変換回路が、この電圧信号および電流信号を各信号の振幅を示すデジタルデータに順次変換する。続いて、演算回路が、まず、電圧値についてのデジタルデータと上記のように電圧について指定された測定範囲の情報（具体的には測定範囲の上限値）とに基づいて測定対象体Ｘに発生する電圧の電圧値を算出すると共に、電流値についてのデジタルデータと上記のように電流について指定された測定範囲の情報（具体的には測定範囲の上限値）とに基づいて測定対象体Ｘに流れる電流の電流値を算出し、次いで、この算出した電圧値と電流値とに基づいて、測定対象体Ｘの抵抗値を算出して、測定データＤ１として出力する。
【００２３】
ここで、測定範囲とは、一例としてＪＩＳにおいて各電気的パラメータについて規定された測定範囲であり、例えば、電気的パラメータが抵抗値（例えば絶縁抵抗値）の場合には、ＪＩＳＣ１３０２：２００２で規定されているように、定格測定電圧が５００ボルトの条件下で、０ＭΩ〜５０ＭΩ（有効最大表示値：５０ＭΩ）、０ＭΩ〜１００ＭΩ（有効最大表示値：１００ＭΩ）および０ＭΩ〜１０００ＭΩ（有効最大表示値：１０００ＭΩ）の３つの測定範囲が規定されている。また、電気的パラメータが電流値の場合には、ＪＩＳＣ１１０２−２の７．３で規定されている推奨値（測定範囲の上限値についての推奨値）から選択された一例として３つの推奨値で規定される測定範囲、すなわち、０Ａ（アンペア）〜１Ａ（有効最大表示値（上限値）：１Ａ）、０Ａ〜１０Ａ（有効最大表示値：１０Ａ）および０Ａ〜６０Ａ（有効最大表示値：６０Ａ）の３つの測定範囲が規定されている。また、電気的パラメータが電圧値の場合にも、ＪＩＳＣ１１０２−２の７．３で規定されている推奨値から選択された一例として３つの推奨値で規定される測定範囲、すなわち、０Ｖ（ボルト）〜１Ｖ（有効最大表示値（上限値）：１Ｖ）、０Ｖ〜５０Ｖ（有効最大表示値：５０Ｖ）および０Ｖ〜１５０Ｖ（有効最大表示値：１５０Ｖ）の３つの測定範囲が規定されている。
【００２４】
操作部３は、測定装置１の測定モード、測定部２で測定する電気的パラメータ、および測定部２で測定する電気的パラメータについての測定範囲を選択する選択スイッチ等（図示せず）を供え、選択スイッチの選択状態を示す操作信号Ｓ１を制御部６に出力する。ここで、測定モードとして、制御部６が、測定部２から出力される測定データＤ１を後述する数値情報Ｄｄとしてそのまま表示部４に出力する通常測定処理（第２の測定処理）を実行する通常測定モードと、測定部２から出力される測定データＤ１に代えて、測定データＤ１が含まれる分割測定範囲に対応する数値情報を特定し、この特定した数値情報を数値情報Ｄｄとして表示部４に出力する簡易測定処理（第１の測定処理）を実行する簡易測定モードとが規定されている。
【００２５】
表示部４は、一例として、ＬＣＤパネルで構成され、後述するように、制御部６から出力される数値情報Ｄｄに基づいて、測定部２で測定された測定値として、この測定値の単位を示す記号（電流の場合には「Ａ」、電圧の場合には「Ｖ」、抵抗の場合には「Ω」）と共に数値で表示する。また、表示部４は、後述するように、制御部６から出力されるモード情報Ｄｍに基づいて、表示している数値情報Ｄｄを測定した測定モード（つまり、数値情報Ｄｄを測定する際に制御部６が実行している測定処理（簡易測定処理または通常測定処理））を示す情報（文字情報や記号情報（本例では記号情報の一例としてのマーク））を表示する。なお、測定値を表示するための表示部４を備えた測定装置１を例に挙げて説明するが、外部装置としての表示器に測定値を表示させる構成を採用することもできる。
【００２６】
記憶部５は、例えば、ＲＯＭおよびＲＡＭなどの半導体メモリや、ＨＤＤで構成されている。また、記憶部５には、例えば、各電気的パラメータについての測定範囲毎の有効最大表示値（上限値）、および各電気的パラメータについての測定範囲毎の分割測定範囲と各分割測定範囲に対応する数値情報とを示す簡易測定用数値情報テーブルが予め記憶されている。
【００２７】
具体的には、各電気的パラメータについての測定範囲として、電流値については、０Ａ〜１Ａの測定範囲、０Ａ〜１０Ａの測定範囲、および０Ａ〜６０Ａの測定範囲が記憶されている。また、電圧値については、０Ｖ〜５０Ｖの測定範囲、０Ｖ〜１５０Ｖの測定範囲、および０Ｖ〜５００Ｖの測定範囲が記憶されている。また、抵抗値については、０ＭΩ〜５０ＭΩの測定範囲に対応する電流値および電圧値の各測定範囲、０ＭΩ〜１００ＭΩの測定範囲に対応する電流値および電圧値の各測定範囲、および０ＭΩ〜１０００ＭΩの測定範囲に対応する電流値および電圧値の各測定範囲が記憶されている。なお、抵抗値の各測定範囲に対応する電流値および電圧値の各測定範囲のうちの電圧値の測定範囲については、例えば、電圧生成回路が測定対象体Ｘに印加する測定用電圧を含む測定範囲が指定され、電流の測定範囲については、この測定用電圧の印加時に測定対象体に流れる電流値を含む測定範囲が指定される。
【００２８】
また、簡易測定用数値情報テーブルとして、電流値については、上記した３つの測定範囲毎に簡易測定用数値情報テーブルがそれぞれ記憶されている。電流値についての簡易測定用数値情報テーブルには、図３に示す０Ａ〜６０Ａの測定範囲についての簡易測定用数値情報テーブルのように、この測定範囲についての各分割測定範囲を示す範囲情報と、各分割測定範囲に対応する数値情報とが対応して記憶されている。また、電流値についての簡易測定用数値情報テーブルでは、各分割測定範囲に対応する数値情報として、例えば、分割測定範囲の上限値（分割測定範囲内で規定した１つの値の一例）を示す数値が記憶されている。この場合、測定範囲についての各分割測定範囲は、図２に示すように、一例として０Ａ〜６０Ａを測定範囲とする直動式電流計において一般的に使用されている目盛の区分（例えばＪＩＳで規定された目盛の区分）に準じて規定されている。図示はしないが、電流値についての他の２つの測定範囲についても、０Ａ〜６０Ａの測定範囲と同様にして、直動式電流計において測定範囲について一般的に使用されている目盛の区分に準じて各分割測定範囲が規定され、各分割測定範囲の上限値を示す数値が数値情報として各分割測定範囲に対応して記憶されている。
【００２９】
また、簡易測定用数値情報テーブルとして、電圧値については、上記した３つの測定範囲毎に簡易測定用数値情報テーブルがそれぞれ記憶されている。電圧値についての簡易測定用数値情報テーブルには、図５に示す０Ｖ〜１５０Ｖの測定範囲についての簡易測定用数値情報テーブルのように、この測定範囲についての各分割測定範囲を示す範囲情報と、各分割測定範囲に対応する数値情報とが対応して記憶されている。また、電圧値についての簡易測定用数値情報テーブルでは、各分割測定範囲に対応する数値情報として、例えば、分割測定範囲の上限値（分割測定範囲内で規定した１つの値の一例）を示す数値が記憶されている。この場合、測定範囲についての各分割測定範囲は、図４に示すように、一例として０Ｖ〜１５０Ｖを測定範囲とする直動式電圧計において一般的に使用されている目盛の区分（例えばＪＩＳで規定された目盛の区分）に準じて規定されている。図示はしないが、電圧値についての他の２つの測定範囲についても、０Ｖ〜１５０Ｖの測定範囲と同様にして、直動式電圧計において測定範囲について一般的に使用されている目盛の区分に準じて各分割測定範囲が規定され、各分割測定範囲の上限値を示す数値が数値情報として各分割測定範囲に対応して記憶されている。
【００３０】
また、簡易測定用数値情報テーブルとして、抵抗値（絶縁抵抗値）については、上記した３つの測定範囲毎に簡易測定用数値情報テーブルがそれぞれ記憶されている。抵抗値についての簡易測定用数値情報テーブルには、図７に示す０ＭΩ〜１００ＭΩの測定範囲についての簡易測定用数値情報テーブルのように、この測定範囲についての各分割測定範囲を示す範囲情報と、各分割測定範囲に対応する数値情報とが対応して記憶されている。また、抵抗値についての簡易測定用数値情報テーブルでは、各分割測定範囲に対応する数値情報として、例えば、分割測定範囲の下限値（分割測定範囲内で規定した１つの値の一例）を示す数値が記憶されている。この場合、測定範囲についての各分割測定範囲は、図６に示すように、一例として０ＭΩ〜１００ＭΩを測定範囲とする直動式絶縁抵抗計において一般的に使用されている目盛の区分（例えばＪＩＳで規定された目盛の区分）に準じて規定されている。図示はしないが、抵抗値についての他の２つの測定範囲についても、０ＭΩ〜１００ＭΩの測定範囲と同様にして、直動式抵抗計において測定範囲について一般的に使用されている目盛の区分に準じて各分割測定範囲が規定され、各分割測定範囲の下限値を示す数値が数値情報として各分割測定範囲に対応して記憶されている。
【００３１】
また、本例では一例として、安全を考慮して、電圧値および電流値についての各分割測定範囲に対応する数値情報については、上記したように各分割測定範囲の上限値に規定し、抵抗値についての各分割測定範囲に対応する数値情報については、上記したように各分割測定範囲の下限値に規定している。なお、本例では、電圧値、電流値および抵抗値についての各分割測定範囲に対応する数値情報については、表示部４に表示される電圧値、電流値および抵抗値をＪＩＳで規定される直動式計測器（直動式電流計、直動式電圧計および直動式抵抗計）の目盛で示される数値に対応させるために、各分割測定範囲の上限値または下限値に規定しているが、このような直動式計測器の目盛で示される数値に対応させる必要がない場合には、各分割測定範囲内で規定した任意の１つの値（上限値および下限値を除く他の値（例えば、分割測定範囲の中間値））とすることもできる。
【００３２】
なお、上記した電流値、電圧値および抵抗値についての各測定範囲の上限値および下限値を示す数値は、絶対値が１以上の場合には、整数で表記され、絶対値が１未満の場合には、最小桁の数値がゼロ以外の数値（１〜９）となる小数で表記される。
【００３３】
制御部６は、ＣＰＵ（図示せず）を備えて構成されて、測定装置１に含まれている各構成要素を制御する。具体的には、制御部６は、操作部３からの操作信号Ｓ１に従い、測定部２を制御して測定対象体Ｘについての電気的パラメータ（電流値、電圧値および抵抗値）の測定を実行させる。また、制御部６は、操作信号Ｓ１に従い、測定された電気的パラメータを通常測定モードまたは簡易測定モードで処理して（通常測定処理または簡易測定処理を実行して）、表示部４に出力する数値情報Ｄｄを特定し、特定した数値情報Ｄｄを表示部４に出力して表示させる。また、制御部６は、数値情報Ｄｄの特定に際して実行している測定モードを示すモード情報Ｄｍを表示部４に出力して、実行している測定モードを表すマークを表示させる。
【００３４】
次に、電気的パラメータの測定方法および測定装置１による電気的パラメータの測定動作について、図面を参照して説明する。
【００３５】
まず、操作部３の各選択スイッチに対する操作が行われて、簡易測定モードが選択され、電気的パラメータとして電流値が選択され、電流値についての測定範囲が選択されたときには、操作部３は、各選択スイッチのこの選択状態を示す操作信号Ｓ１を制御部６に出力する。制御部６は、この操作信号Ｓ１に基づいて、簡易測定処理を実行して、測定対象体Ｘに流れる電流の電流値を、選択された測定範囲で測定する。なお、操作部３の各選択スイッチに対する操作に先立ち、電流値の測定を測定部２で行えるように、プローブ（不図示）などを介して測定対象体Ｘに測定部２が接続されているものとする。
【００３６】
具体的に、０Ａ〜６０Ａの測定範囲が選択された場合を例に挙げて説明する。この際に、制御部６は、測定部２に対する制御を実行して、測定対象体Ｘに流れる電流の電流値を、選択された０Ａ〜６０Ａの測定範囲で測定する動作を測定部２に開始させる。これにより、測定部２は、測定対象体Ｘに流れる電流の電流値を規定された周期で繰り返し測定して、測定した電流値を示す測定データＤ１をこの周期で出力する。
【００３７】
制御部６は、新たな測定データＤ１を測定部２から入力する都度、電流値についての３つの簡易測定用数値情報テーブルのうちの選択された測定範囲に対応する簡易測定用数値情報テーブルを参照して、測定部２から入力した測定データＤ１で示される電流値が含まれる分割測定範囲に対応する数値情報を特定する特定処理と、この特定処理によって特定した数値情報を数値情報Ｄｄとして表示部４に出力して表示させると共に、実行している測定モード（この場合には簡易測定モード）を示すモード情報Ｄｍを表示部４に出力して、実行している測定モードを示すマークを表示させる表示処理とを実行する。
【００３８】
これにより、表示部４に表示される電流値を示す数値は、図３に示す簡易測定用数値情報テーブルに予め記憶されている数値情報のいずれかとなり、測定部２で測定された電流値がある１つの分割測定範囲内でふらついたとしても、このふらつきの影響を受けることなく、一定となる。また、測定部２で測定された電流値が隣接する２つの分割測定範囲間を行き来するようにふらついたとしても、表示部４に表示される電流値を示す数値は、この２つの分割測定範囲に対応する２つの数値情報のいずれか一方となる。この結果、測定対象体Ｘに流れる電流の電流値がふらついた場合であっても、表示部４に表示される電流値を示す数値に基づいて、現時点での電流値の概要（大まかな電流値）を確実かつ容易に把握することが可能となっている。
【００３９】
また、測定部２で測定された電流値が３つ以上の分割測定範囲に亘って大きく変化する場合であっても、表示部４には、各分割測定範囲に対応する数値情報のいずれかが、算出された電流値の変動周期よりもゆっくりした周期で順次表示されるため、この表示部４に表示される電流値を示す数値に基づいて、大きく変動する電流値の変化についての概要（電流値の大まかな変化の様子）についても、確実かつ容易に把握することが可能となっている。また、表示部４には、制御部６が実行している測定モード（簡易測定モード）を示すマークが表示されるため、表示されている数値がいずれの測定モードでの数値なのかを確実に把握することができる。
【００４０】
一方、操作部３の各選択スイッチに対する操作が行われて、通常測定モードが選択され、電気的パラメータとして電流値が選択され、電流値についての測定範囲が選択されたときには、操作部３は、各選択スイッチのこの選択状態を示す操作信号Ｓ１を制御部６に出力する。制御部６は、この操作信号Ｓ１に基づいて、通常測定処理を実行して、測定対象体Ｘに流れる電流の電流値を、選択された測定範囲で測定する。
【００４１】
この通常測定モードでは、制御部６は、新たな測定データＤ１を測定部２から入力する都度、測定部２から入力した測定データＤ１で示される電流値をそのまま数値情報Ｄｄとして特定して表示部４に表示させると共に、実行している測定モード（この場合には通常測定モード）を示すマークを表示させる。これにより、表示部４に表示される電流値を示す数値は測定部２で測定された電流値そのものとなり、併せて通常測定モードを示すマークが表示されるため、測定対象体Ｘに流れる電流の電流値を、予め規定された分解能（測定精度）で測定することが可能となっている。
【００４２】
次いで、操作部３の各選択スイッチに対する操作が行われて、簡易測定モードが選択され、電気的パラメータとして電圧値が選択され、電圧値についての測定範囲が選択されたときには、操作部３は、各選択スイッチのこの選択状態を示す操作信号Ｓ１を制御部６に出力する。制御部６は、この操作信号Ｓ１に基づいて、簡易測定処理を実行して、測定対象体Ｘに発生する電圧の電圧値を、選択された測定範囲で測定する。なお、操作部３の各選択スイッチに対する操作に先立ち、電圧値の測定を測定部２で行えるように、プローブ（不図示）などを介して測定対象体Ｘに測定部２が接続されているものとする。
【００４３】
具体的に、０Ｖ〜１５０Ｖの測定範囲が選択された場合を例に挙げて説明する。この際に、制御部６は、測定部２に対する制御を実行して、測定対象体Ｘに発生する電圧の電圧値を、選択された０Ｖ〜１５０Ｖの測定範囲で測定する動作を測定部２に開始させる。これにより、測定部２は、測定対象体Ｘに発生する電圧の電圧値を規定された周期で繰り返し測定して、測定した電圧値を示す測定データＤ１をこの周期で出力する。
【００４４】
制御部６は、新たな測定データＤ１を測定部２から入力する都度、電圧値についての３つの簡易測定用数値情報テーブルのうちの選択された測定範囲に対応する簡易測定用数値情報テーブルを参照して、測定部２から入力した測定データＤ１で示される電圧値が含まれる分割測定範囲に対応する数値情報を特定する特定処理と、この特定処理によって特定した数値情報を数値情報Ｄｄとして表示部４に出力して表示させると共に、実行している測定モード（この場合には簡易測定モード）を示すモード情報Ｄｍを表示部４に出力して、実行している測定モードを示すマークを表示させる表示処理とを実行する。
【００４５】
これにより、表示部４に表示される電圧値を示す数値は、図５に示す簡易測定用数値情報テーブルに予め記憶されている数値情報のいずれかとなり、上記した電流値のときと同様にして、測定対象体Ｘに発生する電圧値がふらついた場合であっても、表示部４に測定モード（簡易測定モード）を示すマークと共に表示される電圧値を示す数値に基づいて、現時点での電圧値の概要（大まかな電圧値）を確実かつ容易に把握することが可能となっている。
【００４６】
また、測定部２で測定された電圧値の数値が３つ以上の分割測定範囲に亘って大きく変化する場合であっても、表示部４には、各分割測定範囲に対応する数値情報のいずれかが、算出された電圧値の変動周期よりもゆっくりした周期で順次表示されるため、この表示部４に表示される電圧値を示す数値に基づいて、大きく変動する電圧値の変化についての概要（電圧値の大まかな変化の様子）についても、確実かつ容易に把握することが可能となっている。
【００４７】
一方、操作部３の各選択スイッチに対する操作が行われて、通常測定モードが選択され、電気的パラメータとして電圧値が選択され、電圧値についての測定範囲が選択されたときには、操作部３は、各選択スイッチのこの選択状態を示す操作信号Ｓ１を制御部６に出力する。制御部６は、この操作信号Ｓ１に基づいて、通常測定処理を実行して、測定対象体Ｘに発生する電圧の電圧値を、選択された測定範囲で測定する。
【００４８】
この通常測定モードでは、制御部６は、新たな測定データＤ１を測定部２から入力する都度、測定部２から入力した測定データＤ１で示される電圧値をそのまま数値情報Ｄｄとして特定して表示部４に表示させると共に、実行している測定モード（この場合には通常測定モード）を示すマークを表示させる。これにより、表示部４に表示される電圧値を示す数値は測定部２で測定された電圧値の数値そのものとなるため、測定対象体Ｘに発生する電圧の電圧値を、予め規定された分解能で測定することが可能となっている。
【００４９】
続いて、操作部３の各選択スイッチに対する操作が行われて、簡易測定モードが選択され、電気的パラメータとして抵抗値が選択され、抵抗値についての測定範囲が選択されたときには、操作部３は、各選択スイッチのこの選択状態を示す操作信号Ｓ１を制御部６に出力する。制御部６は、この操作信号Ｓ１に基づいて、簡易測定処理を実行して、測定対象体Ｘの抵抗値を、選択された測定範囲で測定する。なお、操作部３の各選択スイッチに対する操作に先立ち、抵抗値の測定を測定部２で行えるように、プローブ（不図示）などを介して測定対象体Ｘに測定部２が接続されているものとする。
【００５０】
具体的に、０ＭΩ〜１００ＭΩの測定範囲が選択された場合を例に挙げて説明する。この際に、制御部６は、測定部２に対する制御を実行して、測定対象体Ｘへの測定用電圧の印加を測定部２に開始させると共に、この状態において測定対象体Ｘに流れる電流の電流値および測定対象体Ｘに発生する電圧の電圧値を、抵抗値の測定範囲（この例では０ＭΩ〜１００ＭΩの測定範囲）に対応して予め規定された電流値および電圧値についての各測定範囲で測定する動作を測定部２に開始させる。これにより、測定部２は、測定対象体Ｘに発生する電流の電流値および電圧の電圧値を規定された周期で繰り返し測定すると共に、測定した電流値および電圧値に基づいて抵抗値を算出して、算出した抵抗値を示す測定データＤ１をこの周期で出力する。
【００５１】
制御部６は、新たな測定データＤ１を測定部２から入力する都度、抵抗値についての３つの簡易測定用数値情報テーブルのうちの選択された測定範囲に対応する簡易測定用数値情報テーブルを参照して、測定部２から入力した測定データＤ１で示される抵抗値が含まれる分割測定範囲に対応する数値情報を特定する特定処理と、この特定処理によって特定した数値情報を数値情報Ｄｄとして表示部４に出力して表示させると共に、実行している測定モード（この場合には簡易測定モード）を示すモード情報Ｄｍを表示部４に出力して、実行している測定モードを示すマークを表示させる表示処理とを実行する。
【００５２】
これにより、表示部４に表示される抵抗値を示す数値は、図７に示す簡易測定用数値情報テーブルに予め記憶されている数値情報のいずれかとなり、上記した電流値のときと同様にして、測定対象体Ｘの抵抗値がふらついた場合であっても、表示部４に測定モード（簡易測定モード）を示すマークと共に表示される抵抗値を示す数値に基づいて、現時点での抵抗値の概要（大まかな抵抗値）を確実かつ容易に把握することが可能となっている。
【００５３】
また、測定部２で測定された抵抗値の数値が３つ以上の分割測定範囲に亘って大きく変化する場合であっても、表示部４には、各分割測定範囲に対応する数値情報のいずれかが、算出された抵抗値の変動周期よりもゆっくりした周期で順次表示されるため、この表示部４に表示される抵抗値を示す数値に基づいて、大きく変動する抵抗値の変化についての概要（抵抗値の大まかな変化の様子）についても、確実かつ容易に把握することが可能となっている。
【００５４】
一方、操作部３の各選択スイッチに対する操作が行われて、通常測定モードが選択され、電気的パラメータとして抵抗値が選択され、抵抗値についての測定範囲が選択されたときには、操作部３は、各選択スイッチのこの選択状態を示す操作信号Ｓ１を制御部６に出力する。制御部６は、この操作信号Ｓ１に基づいて、通常測定処理を実行して、測定対象体Ｘの抵抗値を、選択された測定範囲で測定する。
【００５５】
この通常測定モードでは、制御部６は、新たな測定データＤ１を測定部２から入力する都度、測定部２から入力した測定データＤ１で示される抵抗値をそのまま数値情報Ｄｄとして特定して表示部４に表示させると共に、実行している測定モード（この場合には通常測定モード）を示すマークを表示させる。これにより、表示部４に表示される抵抗値を示す数値は測定部２で測定された抵抗値の数値そのものとなるため、測定対象体Ｘの抵抗値を、予め規定された分解能で測定することが可能となっている。
【００５６】
このように、この測定装置１では、測定対象体Ｘについての電気的パラメータ（電流、電圧および抵抗）の測定範囲が予め規定された規則に基づいて分割されて規定された複数の分割測定範囲を示す範囲情報、および各分割測定範囲の上限値または下限値を示す数値情報が対応して記憶された記憶部５を備え、制御部６が、簡易測定モードのときには、測定部２から新たな測定データＤ１を入力する都度、電気的パラメータについての３つの簡易測定用数値情報テーブルのうちの選択された測定範囲に対応する簡易測定用数値情報テーブルを参照して、入力した測定データＤ１で示される電気的パラメータ値（電流値、電圧値および抵抗値）が含まれる分割測定範囲に対応する数値情報を特定すると共に、この特定した数値情報を数値情報Ｄｄとして表示部４に出力して表示させる。
【００５７】
したがって、この測定装置１によれば、表示部４に表示される電気的パラメータ値を示す数値は、簡易測定用数値情報テーブルに予め記憶されている数値情報（分割測定範囲毎に１つだけ規定された値）のいずれかとなるため、測定部２で測定された電気的パラメータ値がふらついたとしても、表示部４に表示される電気的パラメータ値のふらつきを抑えたり、低減したりすることができる結果、表示部４に表示される電気的パラメータ値を示す数値に基づいて、現時点での電気的パラメータ値の概要（大まかな電気的パラメータ値）を確実かつ容易に把握することが可能となっている。
【００５８】
また、この測定装置１によれば、各電気的パラメータの測定範囲について、ＪＩＳで規定される直動式計測器（直動式電流計、直動式電圧計および直動式抵抗計）の目盛の区分に基づいて分割して分割測定範囲を規定し、かつ各分割測定範囲の上限値または下限値を各分割測定範囲に対応する数値情報として規定したことにより、表示部４に表示される電気的パラメータ値を直動式計測器の目盛の数値のみとすることができるため、電気的パラメータ値を数値で表示させるデジタル式測定装置でありながら、電流値、電圧値および抵抗値などの電気的パラメータ値の概要を直動式計測器に表示された目盛の数値単位で把握することができる結果、指針によるアナログ式の直動式計測器と同等の使い勝手を実現することができる。
【００５９】
また、この測定装置１によれば、簡易測定処理を実行する簡易測定モードおよび通常測定処理を実行する通常測定モードのいずれかの測定モードを選択して制御部６に実行させることができるため、上記したような表示部４に表示される電気的パラメータ値のふらつきを抑えるなどして、現時点での電気的パラメータ値の概要を確実かつ容易に把握することができるという効果だけでなく、通常測定モードを選択することにより、測定部２で測定された電気的パラメータ値そのものを表示部４に表示させることができるため、電気的パラメータ値を、予め規定された分解能で測定することもできる。
【００６０】
また、この測定装置１によれば、簡易測定処理を実行する簡易測定モードおよび通常測定処理を実行する通常測定モードのうちの制御部６が現在実行している測定モード、言い換えれば、簡易測定処理および通常測定処理のうちの制御部６が現在実行している測定処理を示す情報がマークで表示部４に表示されるため、表示部４に表示されている数値情報が、どの測定モードによって測定されたものなのかを確実に把握することができる。
【００６１】
なお、上記の測定装置１では、制御部６が簡易測定処理を実行する簡易測定モードおよび通常測定処理を実行する通常測定モードを選択し得る構成を採用しているが、制御部６が簡易測定処理を実行する簡易測定モードのみを実行する構成を採用することもできる。この構成によれば、簡易測定モードのみに特化した測定装置を実現することができ、これによって操作部３に対する操作を簡略化することができる。
【００６２】
また、上記の測定装置１では、測定対象体Ｘについての電流、電圧および抵抗の３種類の電気的パラメータを選択的に測定し得る構成を採用したが、電流のみを測定する構成を採用して測定装置を電流測定装置としたり、電圧のみを測定する構成を採用して測定装置を電圧測定装置としたり、抵抗のみを測定する構成を採用して測定装置を抵抗測定装置とすることもできる。また、電流、電圧および抵抗の３種類の電気的パラメータのうちの任意の２つの電気的パラメータを測定する構成を採用することもでき、例えば、電流と電圧とを測定する構成を採用することにより、測定装置を電流電圧測定装置とすることもできる。
【００６３】
また、上記の測定装置１では、各電気的パラメータの測定範囲を、ＪＩＳに規定される直動式計測器の目盛の区分に基づいて複数の分割測定範囲に分割する構成を採用しているが、この規定以外の規定に基づいて測定範囲を分割して分割測定範囲を規定してもよいのは勿論である。
【符号の説明】
【００６４】
１  測定装置
２  測定部
３  操作部
４  表示部
５  記憶部
６  制御部
Ｘ  測定対象体
【図１】
2011145203.tif 000003
【図２】
2011145203.tif 000004
【図３】
2011145203.tif 000005
【図４】
2011145203.tif 000006
【図５】
2011145203.tif 000007
【図６】
2011145203.tif 000008
【図７】
2011145203.tif 000009